(57)【要約】【課題】空気溜りの空気を通気孔から外部へ逃がすことができ、光学シートの撓みを抑制することができる光学シート及び表示装置を提供する。【解決手段】透光性及び可撓性を有する光学シート１を厚さ方向に貫通する通気孔１１を設け、光学シート１の複数枚が積層支持される際、又は比較的厚肉の拡散板等に光学シート１が積層支持される際、光学シート１の一部に撓みが発生した状態で撓み部周りのシート面が他の光学シート又は拡散板に密接し、前記撓み部に空気溜りが発生したとき、該空気溜りの空気を通気孔１１から外部へ逃がすことができるようにした。【選択図】図１
2009282133.tif 000002
【特許請求の範囲】
【請求項１】
透光性及び可撓性を有する光学シートにおいて、厚さ方向に貫通する通気孔を有することを特徴とする光学シート。
【請求項２】
前記通気孔は、シート面の中央部に配してある請求項１記載の光学シート。
【請求項３】
前記通気孔は、複数個配してある請求項１又は２記載の光学シート。
【請求項４】
前記通気孔の一つは中央部に配され、他の通気孔は前記中央部及び周縁間の中途に配してある請求項３記載の光学シート。
【請求項５】
前記他の通気孔は、周方向に離隔して複数配してある請求項４記載の光学シート。
【請求項６】
前記通気孔は群れをなし、該群れが複数配されている請求項３から５のいずれか一つに記載の光学シート。
【請求項７】
前記群れは格子状に配されている請求項６記載の光学シート。
【請求項８】
前記群れをなす通気孔は、碁盤目状に配されている請求項６又は７記載の光学シート。
【請求項９】
前記通気孔の一面での開口縁は他面での開口縁よりも小寸法である請求項１から８のいずれか一つに記載の光学シート。
【請求項１０】
前記通気孔の厚さ方向の断面形状は台形である請求項１から８のいずれか一つに記載の光学シート。
【請求項１１】
表側に表示面を有する表示パネルの裏側に、光源が発光した光を前記表示パネルへ入射させる請求項１から１０のいずれか一つに記載の光学シートを備えることを特徴とする表示装置。
【発明の詳細な説明】
【技術分野】
【０００１】
本発明は液晶表示装置等の表示装置に使用される光学シート及び表示装置に関する。
【背景技術】
【０００２】
光学シートは光源が発光した光を拡散する反射偏光シート、プリズムシート、拡散シート等の比較的薄肉の可撓性を有する合成樹脂シートからなり、この光学シートの複数枚が積層され、比較的厚肉の拡散板等のシート支持部材に支持される（例えば、特許文献１参照。）。
【０００３】
また、光学シートを備える表示装置は、前側に表示面を有し直方体をなす表示パネルと、該表示パネルの後側に配される光源とを備え、該光源及び表示パネル間に光学シートが配される。
【０００４】
光学シートの支持は、台上に平置きされた光源の上に拡散板が載置され、該拡散板上に複数枚の光学シートが積層支持されるか、又は、台上に立置きされた光源の前面に拡散板及び複数枚の光学シートが吊下げにより前後に積層支持される。
【特許文献１】特開２００７−２８３６０１号公報
【発明の開示】
【発明が解決しようとする課題】
【０００５】
ところで、光学シートが使用されるテレビジョン等の表示装置は、益々大型化の一途をたどっており、表示装置に対応して光学シートも大型になるため、比較的薄肉の可撓性を有する合成樹脂シートからなる光学シートはより一層撓み易くなる。従って、光学シートが積層される際、該光学シートの一部に撓みが発生した状態で撓み部周りのシート面が他の光学シート又は拡散板に密接し、前記撓み部に空気溜りが発生し易くなる。
【０００６】
このように空気溜りが発生したとき、光学シートの撓み部周り（空気溜り周り）を押圧しても空気溜りの空気を外部へ逃がすことが困難であり、光学シートの撓みをなくすることは困難である。因って、光学シートの撓み量が比較的多い場合、該撓み部が表示パネルの後面に接触し、該表示パネルを傷付けることになり、改善策が要望されていた。
【０００７】
本発明は斯かる事情に鑑みてなされたものであり、主たる目的は厚さ方向に貫通する通気孔を設けることにより、空気溜りの空気を通気孔から外部へ逃がすことができ、光学シートの撓みを抑制することができる光学シート及び表示装置を提供することにある。
【課題を解決するための手段】
【０００８】
本発明に係る光学シートは、透光性及び可撓性を有する光学シートにおいて、厚さ方向に貫通する通気孔を有することを特徴とする。
【０００９】
この発明にあっては、光学シートが積層される際、光学シートの撓みにより空気溜りが発生したとしても、空気溜りの空気を通気孔から外部へ逃がすことが可能となり、空気溜りによる光学シートの撓み量を抑制することができる。
【００１０】
また、本発明に係る光学シートは、前記通気孔は、シート面の中央部に配してある構成とするのが好ましい。
この発明にあっては、空気溜りの周りを押圧して該空気溜りの空気をシート面の中央部へ寄せることにより、空気溜りの空気をシート面中央部の通気孔から外部へ逃がすことが可能である。
【００１１】
また、本発明に係る光学シートは、前記通気孔は、複数個配してある構成とするのが好ましい。
この発明にあっては、空気溜りの空気を複数の通気孔から外部へ逃がすことができるので、空気溜りによる光学シートの撓み量抑制作業効率を高めることができる。
【００１２】
また、本発明に係る光学シートは、前記通気孔の一つは中央部に配され、他の通気孔は前記中央部及び周縁間の中途に配してある構成とするのが好ましい。
この発明にあっては、空気溜りの空気を中央部の通気孔及び／又は、中央部及び周縁間の中途に配してある通気孔から外部へ逃がすことができるので、空気溜りによる光学シートの撓み量抑制作業効率を高めることができる。
【００１３】
また、本発明に係る光学シートは、前記他の通気孔は、周方向に離隔して複数配してある構成とするのが好ましい。
この発明にあっては、空気溜りの空気を中央部の通気孔及び／又は、中央部及び周縁間の中途に配してある複数の通気孔から外部へ逃がすことができるので、空気溜りによる光学シートの撓み量抑制作業効率をより一層高めることができる。
【００１４】
また、本発明に係る光学シートは、前記通気孔は群れをなし、該群れが複数配されている構成とするのが好ましい。
この発明にあっては、空気溜りの空気を、複数の群れをなす通気孔から外部へ逃がすことができるので、空気溜りによる光学シートの撓み量抑制作業効率をより一層高めることができ、また、複数の群れ間の非通気孔部分により、シートの通気孔による強度低下を抑制でき、積層支持の作業性を高めることができる。
【００１５】
また、本発明に係る光学シートは、前記群れは格子状に配されている構成とするのが好ましい。
この発明にあっては、群れ間の距離を比較的少なくすることができるため、空気溜りが複数個所に発生している場合でも、空気溜りの空気を迅速に逃がすことが可能であり、空気溜りによる光学シートの撓み量抑制作業効率をより一層高めることができる。また、格子状に配されている群れ間の非通気孔部分により、シートの通気孔による強度低下を抑制でき、積層支持の作業性を高めることができる。
【００１６】
また、本発明に係る光学シートは、前記群れをなす通気孔は、碁盤目状に配されている構成とするのが好ましい。
この発明にあっては、群れ間の距離を均等化できるため、空気溜りが複数個所に発生している場合でも、空気溜りの空気を迅速に逃がすことが可能であり、空気溜りによる光学シートの撓み量抑制作業効率をより一層高めることができる。
【００１７】
また、本発明に係る光学シートは、前記通気孔の一面での開口縁は他面での開口縁よりも小寸法である構成とするのが好ましい。
この発明にあっては、小寸法の開口縁が外側となるように積層支持することにより、空気溜りの空気を、大寸法の開口縁から通気孔に入り易くでき、しかも、光学シートの外側から視認した際の通気孔視認性を悪くすることができる。因って、空気溜りの空気を通気孔から逃がし易く、通気孔での通気性を高めることができ、しかも、表示装置に組み込まれた際、表示面側から通気孔が視認されるのを困難にできる。
【００１８】
また、本発明に係る光学シートは、前記通気孔の厚さ方向の断面形状は台形である構成とするのが好ましい。
この発明にあっては、大寸法の開口縁側から小寸法の開口縁に向けて空気をスムーズに誘導することができるため、視認性の悪い通気孔での通気性をより一層高めることができ、光学シートの撓み抑制作業効率を高めることができる。
【００１９】
また、本発明に係る表示装置は、表側に表示面を有する表示パネルの裏側に、光源が発光した光を前記表示パネルへ入射させる前述した発明の光学シートを備えることを特徴とする。
この発明にあっては、光学シートが積層支持される際、光学シートの撓みにより空気溜りが発生したとしても、空気溜りの空気を通気孔から外部へ逃がすことが可能となり、空気溜りによる光学シートの撓み量を抑制することができる。
【発明の効果】
【００２０】
本発明によれば、光学シートが積層される際、光学シートの撓みにより空気溜りが発生したとしても、空気溜りの空気を通気孔から外部へ逃がすことが可能となり、空気溜りによる光学シートの撓み量を抑制することができる。
【発明を実施するための最良の形態】
【００２１】
以下本発明をその実施の形態を示す図面に基づいて詳述する。図１は本発明に係る光学シートの構成を示す正面図である。
【００２２】
この光学シート１は、液晶テレビジョン等の表示装置の表示パネルと光源との間に配されるもので、光源が発生した光を拡散する反射偏光シート、プリズムシート、拡散シート等の比較的薄肉で、透光性及び可撓性を有する合成樹脂シートからなり、前記表示パネルに対応して略直方形に形成されている。反射偏光シート、プリズムシート、拡散シート等の光学シート１は、例えば比較的厚肉の拡散板に反射偏光シート、プリズムシート、拡散シートの順で積層支持される。
【００２３】
光学シート１には、周縁部を除く全面に、厚さ方向に貫通する微小の通気孔１１が複数個開設されており、また、一辺の周縁部には吊下げ用の複数の貫通孔１２が一辺の長手方向に離隔して開設されている。
【００２４】
通気孔１１は、０．５〜１．０mm程度の孔径で比較的小ピッチ（例えば２〜１０mm程度のピッチ）で碁盤目状に配され、この碁盤目状の群れが格子状に配され、群れ間が非通気孔になっている。
貫通孔１２は、後記する軸状の吊下突起３２の断面積よりも大きい長孔に形成され、光学シート１の熱膨張による面方向への移動、及び収縮による面方向への移動を許容するように構成されている。
【００２５】
以上のように構成された光学シート１は、液晶テレビジョン等の表示装置に使用される。
図２は光学シート１を備える表示装置の構成を示す一部を拡大した縦断側面図、図３は光学シート１部分の構成を示す拡大した縦断側面図、図４は光学シート１部分の構成を示す正面図、図５及び図６は光学シート１の支持部の構成を示す拡大正面図である。
【００２６】
この表示装置は、テレビ画像を表示する表示面２ａを前側（表側）に有する表示パネル２と、該表示パネル２の後側（裏側）に配される光学シート１及び該光学シート１を支持する支持体３と、光学シート１の後側に配される光源４と、表示パネル２の周縁部及び光源４の後側を隠蔽するキャビネットと、光源４の後面に取付けられるスタンドとを備える液晶テレビジョン、換言すれば液晶表示装置である。
【００２７】
表示パネル２は略直方体をなし、前後側に偏光板が貼着されている。また、表示パネル２の周縁部は、該表示パネル２の前後に配される枠状の保持体２１，２１により保持されている。
【００２８】
支持体３は断面四角形をなすアルミニウム製の４本の角筒体の端部を結合することにより光学シート１に対応する大きさの矩形枠状に形成されており、前面の内周側に、比較的厚肉の拡散板５を介して光学シート１の周縁部が支持され、前面の外周側に複数のボス３１が突設され、ボス３１夫々に螺着される雄螺子６により支持体３と保持体２１とが結合されている。
【００２９】
支持体３の上辺の前面内周側には複数の吊下突起３２が突設され、該吊下突起３２に光学シート１及び拡散板５が吊下げられている。また、支持体３の上辺の前面外周側には、光学シート１が吊下突起３２から抜出るのを阻止する抜止部材３３が雄螺子３４により取付けられている。
【００３０】
拡散板５は、光学シート１に対応して略直方形に形成されており、一辺の周縁部には吊下げ用の複数の貫通孔５１が一辺の長手方向に離隔して開設されている。
【００３１】
抜止部材３３は、取付板部３３ａと、該取付板部３３ａの一縁に屈曲連結部３３ｂを介して連なる抜止板部３３ｃとを有し、取付板部３３ａが雄螺子３４により支持体３に取付けられ、抜止板部３３ｃが光学シート１のシート面と対向し、光学シート１の抜出しを阻止している。
【００３２】
光源４は、複数本が上下に離隔して並置されている円筒形をなすランプ４１と、該ランプ４１を収容支持し、深皿形をなすケース４２と、ケース４２の周縁部内側に結合され、ランプ４１を取り囲む囲繞枠体４３とを有し、ケース４２の後壁に回路基板等の電気部品が取付けられている。ケース４２の内面部は、ランプ４１が発光した光をケース４２の開放部側へ反射させるべき反射面になっている。この反射面はコーティング層及び反射シートを含んでいる。
【００３３】
ランプ４１は両端部に電極を有する冷陰極管又は熱陰極管であり、両端部がランプ保持部に保持され、中間部がランプクリップ４４によりケース４２の後壁に保持されている。
【００３４】
囲繞枠体４３は、断面四角形をなすアルミニウム製の４本の角筒体の端部を結合することにより矩形状に形成され、ケース４２に取付けられている。囲繞枠体４３の一辺と、支持体３の一辺とは枢支部により相対回動を可能に連結され、表示パネル２を光源４に対して前後方向へ回動を可能にしてある。
【００３５】
キャビネットは、表示パネル２の周縁部前側及び周縁部外周りを隠蔽する枠状のキャビネット前分体と、ケース４２の後側を隠蔽するキャビネット後分体とを備える。
【００３６】
以上のように構成された表示装置の組立ては例えば次の(1) 〜(5) の工程で行う。
(1) 作業台上に開放部を上向にして平置きされたケース４２の囲繞枠体４３の内側にランプ４１が組込まれ、光源４が形成される。この光源４の上側に支持体３が載置され、該支持体３の一辺が枢支部により囲繞枠体４３の一辺に連結される。
(2) 光源４と別の場所で表示パネル２の周縁部に保持体２１，２１が取付けられる。
(3) スタンドにより光源４が作業台上に起立され、支持体３に突設されている吊下突起３２が拡散板５、及び光学シート１夫々の貫通孔５１，１２に挿嵌され、拡散板５及び光学シート１夫々が吊下突起３２に吊下げられ、拡散板５及び光学シート１夫々が積層支持される。
(4) 表示パネル２を支持してある保持枠体２１，２１が光学シート１の前方から支持体３に被嵌され、雄螺子６をボス３１に捩じ込むことにより、保持体２１，２１及び支持体３が一体に結合され、表示パネル２が装着される。
(5) 表示パネル２の前側にキャビネット前分体が被嵌され、光源４の後側にキャビネット後分体が被嵌される。
【００３７】
以上のように光学シート１が積層支持される際、該光学シート１の一部に撓みが発生した状態で撓み部周りのシート面が他の光学シート１又は拡散板５に密接し、前記撓み部に空気溜りが発生し易くなる。
【００３８】
図７は光学シート１の撓み部１ａに空気溜りａが発生している部位の状態を示す拡大断面図である。光学シート１には周縁部を除いてほぼ全面に通気孔１１が開設されているため、光学シート１の撓みにより、拡散板５と光学シート１との間、又は二枚の光学シート１の間に空気溜りａが発生した際、空気溜りａの空気を通気孔１１から外部へ逃がすことができる。このとき、空気溜りａの周りを押圧して空気溜りａの空気を加圧することにより空気溜りａの空気を迅速に逃がすことができる。従って、空気溜りａによる光学シート１の撓み量を低減でき、光学シート１の撓み部が表示パネル２の後面に接触するのを防止でき、光学シート１の撓み部１ａが表示パネル２の後面に傷付けるのを防ぐことができる。
【００３９】
図８の(a) 、(b) は通気孔１１の他の構成を示す拡大断面図である。(a) の通気孔１１は、一面での開口縁と他面での開口縁の寸法を変え、一面での開口縁を小寸法とし、他面での開口縁を大寸法としたものであり、(b) の通気孔１１は、貫通する方向の断面形状を台形とし、小寸法の開口縁と大寸法の開口縁との間を中心軸に対して傾斜する内面としたものである。
【００４０】
図８の(a) の通気孔１１にあっては、空気溜りａの空気を、大寸法の開口縁から通気孔１１に入り易くでき、しかも、光学シート１の外側から視認した際の通気孔１１の視認性を悪くすることができる。また、図８の(b) の通気孔１１にあっては、大寸法の開口縁から小寸法の開口縁に向けて空気をスムーズに誘導することができるため、視認性の悪い通気孔１１での通気性をより一層高めることができ、光学シート１の撓み抑制作業効率を高めることができる。
【００４１】
尚、以上説明した実施の形態では通気孔１１を断面円形としたが、その他、通気孔１１は断面長円形としてもよいし、また、スリットからなる構成としてもよく、通気孔１１の断面形状は特に制限されない。
【００４２】
また、以上説明した実施の形態では、碁盤目状に配された通気孔１１の群れを格子状に配したが、その他、通気孔１１は碁盤目状以外の群れとなるように配してもよいし、また、通気孔１１の群れは格子状以外の形態となるように配してもよく、通気孔１１の配置構成は特に制限されない。また、通気孔１１は複数個所に配する他、シート面の中央部にだけ配する構成としてもよいし、また、中央部と該中央部及び周縁間の中途とに配する構成としてもよく、通気孔１１の個数は特に制限されない。
【００４３】
また、以上説明した実施の形態では、３枚の光学シート１を備える構成としたが、その他、光学シート１は１枚であってもよく、その枚数は特に制限されない。尚、光学シート１が複数枚の場合、全ての光学シート１に通気孔１１がなくともよい。
【００４４】
また、以上説明した実施の形態では、光学シート１を吊下げて積層支持する構成について説明したが、その他、光学シート１は、枠状の支持体３に載置して積層支持する構成であってもよい。
【００４５】
また、以上説明した実施の形態では、表示パネル２を光源４に対して前後方向への回動を可能としたが、その他、表示パネル２は非回動の構成であってもよく、表示装置の構成は特に制限されない。
【図面の簡単な説明】
【００４６】
【図１】本発明に係る光学シートの構成を示す正面図である。
【図２】本発明に係る光学シートを備える表示装置の構成を示す一部を拡大した縦断側面図である。
【図３】本発明に係る光学シート部分の構成を示す拡大した縦断側面図である。
【図４】本発明に係る光学シート部分の構成を示す正面図である。
【図５】本発明に係る光学シートの支持部の構成を示す拡大正面図である。
【図６】本発明に係る光学シートの支持部の構成を示す拡大正面図である。
【図７】本発明に係る表示装置の光学シートの撓み部に空気溜りが発生している部位の状態を示す拡大断面図である。
【図８】本発明に係る光学シートの通気孔の他の構成を示す拡大断面図である。
【符号の説明】
【００４７】
１    光学シート
１１  通気孔
２    表示パネル
２ａ  表示面
４    光源
【図１】
2009282133.tif 000003
【図２】
2009282133.tif 000004
【図３】
2009282133.tif 000005
【図４】
2009282133.tif 000006
【図５】
2009282133.tif 000007
【図６】
2009282133.tif 000008
【図７】
2009282133.tif 000009
【図８】
2009282133.tif 000010